【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
往復移動するキャリッジに装着された吐出ユニット部から記録媒体へインクを吐出して記録を行うインクジェット記録装置において、
装置本体側に設置されたメインタンクにジョイント部を接続するとともに、キャリッジに吐出ユニット部へインクを供給するためのキャリッジ吸収体を装着し、
キャリッジを前記ジョイント部の位置まで移動させることにより、前記メインタンクを該ジョイント部を通して前記キャリッジ吸収体にインク供給可能に接続することを特徴とするインクジェット記録装置。
【請求項２】
前記ジョイント部にジョイント部吸収体を配置し、前記メインタンクから該ジョイント部吸収体にインクが供給されることを特徴とする請求項１に記載のインクジェット記録装置。
【請求項３】
前記メインタンク内にメインタンク吸収体が充填され、該メインタンク吸収体にインクが充填されていることを特徴とする請求項１又は２に記載のインクジェット記録装置。
【請求項４】
前記ジョイント部吸収体は前記メインタンク吸収体に接合されていることを特徴とする請求項３に記載のインクジェット記録装置。
【請求項５】
前記キャリッジを前記ジョイント部の位置まで移動させたとき、前記ジョイント部吸収体が前記キャリッジ吸収体に接合することにより該ジョイント部吸収体から該キャリッジ吸収体へインクが供給されることを特徴とする請求項２〜４のいずれかに記載のインクジェット記録装置。
【請求項６】
往復移動するキャリッジに装着された吐出ユニット部から記録媒体へインクを吐出して記録を行うインクジェット記録装置のインク供給系において、
装置本体側に設置されたメインタンクにジョイント部を接続するとともに、キャリッジに吐出ユニット部へインクを供給するためのキャリッジ吸収体を装着し、
キャリッジを前記ジョイント部の位置まで移動させることにより、前記メインタンクを該ジョイント部を通して前記キャリッジ吸収体にインク供給可能に接続することを特徴とするインクジェット記録装置のインク供給系。
【請求項７】
前記ジョイント部にジョイント部吸収体を配置し、前記メインタンクから該ジョイント部吸収体にインクが供給されることを特徴とする請求項６に記載のインクジェット記録装置のインク供給系。
【請求項８】
前記メインタンク内にメインタンク吸収体が充填され、該メインタンク吸収体にインクが充填されていることを特徴とする請求項６又は７に記載のインクジェット記録装置のインク供給系。
【請求項９】
前記ジョイント部吸収体は前記メインタンク吸収体に接合されていることを特徴とする請求項８に記載のインクジェット記録装置のインク供給系。
【請求項１０】
前記キャリッジを前記ジョイント部の位置まで移動させたとき、前記ジョイント部吸収体が前記キャリッジ吸収体に接合することにより該ジョイント部吸収体から該キャリッジ吸収体へインクが供給されることを特徴とする請求項７〜９のいずれかに記載のインクジェット記録装置のインク供給系。
【請求項１１】
前記キャリッジ吸収体に供給されたインクは連通孔を通して前記吐出ユニット部へ供給されることを特徴とする請求項６〜１０のいずれかに記載のインクジェット記録装置のインク供給系。
【請求項１２】
前記ジョイント部は前記ジョイント部吸収体に代えて毛細管力を発生する細管を有することを特徴とする請求項７〜１１のいずれかに記載のインクジェット記録装置のインク供給系。
【請求項１３】
前記メインタンク内に、前記メインタンク吸収体に代えて、負圧又は正圧を発生する手段が設けられていることを特徴とする請求項８〜１２のいずれかに記載のインクジェット記録装置のインク供給系。
【請求項１４】
前記キャリッジ吸収体が前記ジョイント部とインク供給可能に接続される位置は、前記吐出ユニット部をキャップでキャッピングするホームポジションと同じ位置であることを特徴とする請求項６〜１３のいずれかに記載のインクジェット記録装置のインク供給系。
【手続補正２】
【補正対象書類名】明細書
【補正対象項目名】００１１
【補正方法】変更
【補正の内容】
【００１１】
請求項６のインクジェット記録装置のインク供給系に係る発明は、上記目的を達成するため、往復移動するキャリッジに装着された吐出ユニット部から記録媒体へインクを吐出して記録を行うインクジェット記録装置のインク供給系において、装置本体側に設置されたメインタンクにジョイント部を接続するとともに、キャリッジに吐出ユニット部へインクを供給するためのキャリッジ吸収体を装着し、キャリッジを前記ジョイント部の位置まで移動させることにより、前記メインタンクを該ジョイント部を通して前記キャリッジ吸収体にインク供給可能に接続することを特徴とする。


【手続補正３】
【補正対象書類名】明細書
【補正対象項目名】００２４
【補正方法】変更
【補正の内容】
【００２４】
図８〜図１０は本発明を適用したインクジェット記録装置の第１実施例のインク供給系を示す部分縦断面図であり、図８はキャリッジ１がジョイント部２９の位置（例えばホームポジション）にあって該キャリッジにインクを供給するときの状態を示し、図９は記録動作時などのようにキャリッジ１がジョイント部２９から離れたときの状態を示し、図１０は図８及び図９の第１実施例におけるジョイント部吸収体３０の高さ関係を示すものである。なお、図４のインクジェット記録装置の全体構成ではＹ、Ｍ、Ｃの３色のインクをキャリッジ１へ供給する構成を示しているが、各色のインク供給系は独立しておりかつインク色を除いて実質的に同じ構成を有しており、従って、図８〜図１０では任意の１色のインク供給系を示し、他のインク供給系については同様であり、その詳細説明は省略することにする。


【手続補正４】
【補正対象書類名】明細書
【補正対象項目名】００３０
【補正方法】変更
【補正の内容】
【００３０】
前記ジョイント部吸収体３０は、ジョイント部２９の内部の全体に配置する必要はなく、キャリッジ１側の端部に配置されるジョイント部吸収体端部４０のみで構成しても良い。その場合、上記高さｈは、ジョイント部吸収体端部４０の毛細管力によってインクが吸い上げられる高さとなる。
上記ジョイント部２９の内部に設けられるジョイント部吸収体（全体に配置されるジョイント部吸収体３０及び一部に配置されるジョイント部吸収体端部４０の双方を含む）は、毛細管力を発生する部材であれば吸収体以外のものでも良く、例えば細管等で構成しても良い。また、前記キャリッジ吸収体３１も、毛細管力を発生する部材であれば良く、例えば細管等で構成しても良い。


【手続補正５】
【補正対象書類名】明細書
【補正対象項目名】００３３
【補正方法】変更
【補正の内容】
【００３３】
また、前記ジョイント部吸収体３０は、ジョイント部２９の内部の全体に配置する必要はなく、キャリッジ１側の端部に配置されるジョイント部吸収体端部４０のみで構成しても良い。その場合、上記高さｈは、ジョイント部吸収体端部４０の毛細管力によってインクが吸い上げられる高さとなる。
上記ジョイント部２９の内部に設けられるジョイント部吸収体（全体に配置されるジョイント部吸収体３０、一部に配置されるジョイント部吸収体端部４０、ジョイント部吸収体３０のキャリッジ１側の一部から成る吸収体端部４０を含む）は、毛細管力を発生する部材であれば吸収体以外のものでも良く、例えば細管等で構成しても良い。また、前記キャリッジ吸収体３１も、毛細管力を発生する部材であれば良く、例えば細管等で構成しても良い。


【手続補正６】
【補正対象書類名】明細書
【補正対象項目名】００４２
【補正方法】変更
【補正の内容】
【００４２】
請求項５のインクジェット記録装置の発明によれば、さらに、前記キャリッジを前記ジョイント部の位置まで移動させたとき、前記ジョイント部吸収体が前記キャリッジ吸収体に接合することにより該ジョイント部吸収体から該キャリッジ吸収体へインクが供給される構成としたので、
一層効率よく、メインタンク内のインクをジョイント部に確実に供給することができ、キャリッジをジョイント部まで移動させてキャリッジ吸収体をジョイント部に接触させるだけで、該キャリッジ吸収体を介して吐出ユニット部に確実に供給することができ、キャリッジに搭載すべきインク量を最小限にすることでキャリッジの小型軽量化及び移動領域の縮小を図ることができ、もって、装置全体の小型化を図ることが可能なインクジェット記録装置が提供される。


【手続補正７】
【補正対象書類名】明細書
【補正対象項目名】００４３
【補正方法】削除
【補正の内容】
【手続補正８】
【補正対象書類名】明細書
【補正対象項目名】００４４
【補正方法】変更
【補正の内容】
【００４４】
請求項６のインクジェット記録装置のインク供給系の発明によれば、往復移動するキャリッジに装着された吐出ユニット部から記録媒体へインクを吐出して記録を行うインクジェット記録装置のインク供給系において、装置本体側に設置されたメインタンクにジョイント部を接続するとともに、キャリッジに吐出ユニット部へインクを供給するためのキャリッジ吸収体を装着し、キャリッジを前記ジョイント部の位置まで移動させることにより、前記メインタンクを該ジョイント部を通して前記キャリッジ吸収体にインク供給可能に接続する構成としたので、
メインタンク内のインクを一旦ジョイント部に供給するとその後ではジョイント部先端部まで常に確実にインクが供給されることから、キャリッジをジョイント部まで移動させてキャリッジ吸収体をジョイント部に接触させるだけで、該キャリッジ吸収体を介して吐出ユニット部にインクを確実に供給することができ、キャリッジに搭載すべきインク量を最小限にすることでキャリッジの小型軽量化及び移動領域の縮小を図ることができ、もって、装置全体の小型化を図ることが可能なインクジェット記録装置のインク供給系が提供される。


【手続補正９】
【補正対象書類名】明細書
【補正対象項目名】００４５
【補正方法】変更
【補正の内容】
【００４５】
請求項７〜９のインクジェット記録装置のインク供給系の発明によれば、さらに、前記ジョイント部にジョイント部吸収体を配置し、前記メインタンクから該ジョイント部吸収体にインクが供給される構成、前記メインタンク内にメインタンク吸収体が充填され、該メインタンク吸収体にインクが充填されている構成、あるいは、前記ジョイント部吸収体は前記メインタンク吸収体に接合されている構成としたので、
一層効率よく、メインタンク内のインクをジョイント部に確実に供給することができ、キャリッジをジョイント部まで移動させてキャリッジ吸収体をジョイント部に接触させるだけで、該キャリッジ吸収体を介して吐出ユニット部に確実に供給することができ、キャリッジに搭載すべきインク量を最小限にすることでキャリッジの小型軽量化及び移動領域の縮小を図ることができ、もって、装置全体の小型化を図ることが可能なインクジェット記録装置のインク供給系が提供される。


【手続補正１０】
【補正対象書類名】明細書
【補正対象項目名】００４６
【補正方法】変更
【補正の内容】
【００４６】
請求項１０及び１１のインクジェット記録装置のインク供給系の発明によれば、さらに、前記キャリッジを前記ジョイント部の位置まで移動させたとき、前記ジョイント部吸収体が前記キャリッジ吸収体に接合することにより該ジョイント部吸収体から該キャリッジ吸収体へインクが供給される構成、あるいは、前記キャリッジ吸収体に供給されたインクは連通孔を通して前記吐出ユニット部へ供給される構成としたので、
一層効率よく、メインタンク内のインクをジョイント部に確実に供給することができ、キャリッジをジョイント部まで移動させてキャリッジ吸収体をジョイント部に接触させるだけで、該キャリッジ吸収体を介して吐出ユニット部に確実に供給することができ、キャリッジに搭載すべきインク量を最小限にすることでキャリッジの小型軽量化及び移動領域の縮小を図ることができ、もって、装置全体の小型化を図ることが可能なインクジェット記録装置のインク供給系が提供される。


【手続補正１１】
【補正対象書類名】明細書
【補正対象項目名】００４７
【補正方法】変更
【補正の内容】
【００４７】
請求項１２〜１４のインクジェット記録装置のインク供給系の発明によれば、さらに、前記ジョイント部は前記ジョイント部吸収体に代えて毛細管力を発生する細管を有する構成、前記メインタンク内に、前記メインタンク吸収体に代えて、負圧又は正圧を発生する手段が設けられている構成、あるいは、前記キャリッジ吸収体が前記ジョイント部とインク供給可能に接続される位置は、前記吐出ユニット部をキャップでキャッピングするホームポジションと同じ位置である構成としたので、
効率よく、メインタンク内のインクをジョイント部に確実に供給することができ、キャリッジをジョイント部まで移動させてキャリッジ吸収体をジョイント部に接触させるだけで、該キャリッジ吸収体を介して吐出ユニット部に確実に供給することができ、キャリッジに搭載すべきインク量を最小限にすることでキャリッジの小型軽量化及び移動領域の縮小を図ることができ、もって、装置全体の小型化を図ることが可能なインクジェット記録装置のインク供給系が提供される。